(57)【特許請求の範囲】
【請求項１】
イニシエータに係止するロックアームを備えたハウジング本体と、
前記イニシエータに対する前記ハウジング本体の着脱方向にスライド自在に前記ハウジング本体に支持されたスライダとを有し、
前記スライダは、
前記イニシエータに係止した前記ロックアームを前記イニシエータ側に押し付けると共に、前記イニシエータに係止させる係止部を有する復元アームと、
前記復元アームの前記ロックアームと反対側への屈曲を規制する屈曲規制部とを備え、
前記ロックアームは、前記復元アームの前記係止部を係止して前記スライダが前記ハウジング本体から突出するのを規制することを特徴とするコネクタ。
【請求項２】
前記ロックアームは、前記復元アームの両側に位置した前記ハウジング本体から延びたロック腕部と、前記ロック腕部で支持されたロック体とから構成されていることを特徴とする請求項１に記載のコネクタ。
【発明の詳細な説明】
【技術分野】
【０００１】
本発明は、ロックアームを備えたスライダをハウジングで支持したコネクタに関する。
【背景技術】
【０００２】
この種のコネクタは、下記の特許文献１に開示されている。特許文献１に開示された電気的接続装置は、第１の構成要素（イニシエータ）が備えるソケットに第２の構成要素（ハウジング本体）の中央プラグ部分を挿入し、中央プラグ部分が備える電気端子をソケット内のピンに接続する。この電気的接続装置では、第１の構成要素がソケットに備える係止溝に弾性部分（ロックアーム）の掛け止め部を掛け止め、第２の構成要素が弾性部分の内側に配置した掛け止め要素（スライダ）の第１脚部（復元アーム）で弾性部分を内側から押さえ付けることで、掛け止め部の掛け止めが解けるのを防止している。掛け止め要素は、第１脚部の第２の掛け止め部がソケット内の係止溝に掛け止められることで、第１の構成要素に係止される。
【先行技術文献】
【特許文献】
【０００３】
【特許文献１】特開２００１−３１９７４７号公報
【発明の概要】
【発明が解決しようとする課題】
【０００４】
上記従来のコネクタでは、第２の構成要素の上方に突出した掛け止め要素に外力が加わると、第２の掛け止め部が弾性部分内に入り込むことがある。このため、ソケットに対する中央プラグ部分の挿入時に弾性部分（ロックアーム）及び第１脚部（復元アーム）が損傷する虞があった。また、第１脚部（復元アーム）がクリープ変形して、弾性部分による掛け止めが解け易くなり、第１の構成要素（イニシエータ）に対する第２の構成要素（ハウジング本体）の中途嵌合が生じて、コネクタ抜け等の不具合が生じる虞があった。
【０００５】
本発明は斯かる課題に鑑みてなされたもので、イニシエータに対するハウジングの中途嵌合が生じたり、ロックアームや復元アームが損傷するのを防止できるコネクタを提供することを目的とする。
【課題を解決するための手段】
【０００６】
このような目的を達成するために、本発明のコネクタは、イニシエータに係止するロックアームを備えたハウジング本体と、前記イニシエータに対する前記ハウジング本体の着脱方向にスライド自在に前記ハウジング本体に支持されたスライダとを有し、前記スライダが、前記イニシエータに係止した前記ロックアームを前記イニシエータ側に押し付けると共に、前記イニシエータに係止させる係止部を有する復元アームと、前記復元アームの前記ロックアームと反対側への屈曲を規制する屈曲規制部とを備え、前記ロックアームが、前記復元アームの前記係止部を係止して前記スライダが前記ハウジング本体から突出するのを規制することを特徴とする。
また、本発明は、前記ロックアームが、前記復元アームの両側に位置した前記ハウジング本体から延びたロック腕部と、前記ロック腕部で支持されたロック体とから構成されていることを特徴とする。
【発明の効果】
【０００７】
本発明によれば、ロックアームをイニシエータ側に押し付けた復元アームの屈曲を屈曲規制部で規制すると共に、ハウジング本体の離脱方向へ移動したスライダがハウジング本体から突出するのを規制することで、復元アームの変形によりロックアームの係止が解けたり、外力を受けたスライダがロックアームの内側に復元アームを入り込ませてロックアームや復元アームが損傷するのを防止することができる。
【図面の簡単な説明】
【０００８】
【図１】本発明の一実施形態のコネクタを上方から見た斜視図であり、イニシエータにハウジングが組み付けられた状態を示している。
【図２】コネクタを上方から見た分解斜視図である。
【図３】ハウジングを示す図であり、（ａ）は平面図，（ｂ）は正面図，（ｃ）は右側面図である。
【図４】ハウジング本体に対するＣＰＡの組付状態を示す図であり、図３（ｂ）のＡ−Ａ矢視断面図である。
【図５】イニシエータにハウジングを装着する手順を図３（ｂ）のＡ−Ａ矢視断面で示す図である。
【図６】イニシエータからハウジングを離脱させる手順を図３（ｂ）のＡ−Ａ矢視断面で示す図である。
【発明を実施するための形態】
【０００９】
以下、図面を参照して、本発明の一実施形態を説明する。
図１，２は、本実施形態のコネクタを示す図であり、図１は上方から見た斜視図，図２は分解斜視図である。図３は、ハウジング１を示す図である。なお、以下の説明で用いる上下，前後，左右の各方向は説明に用いる各図に示している。この上下，前後，左右は説明のために記載したもので、実際の配置と異なってよいことはもちろんである。
【００１０】
図１，２に示すように、コネクタは、ハウジング１とイニシエータ２とを備えている。イニシエータ２は、収容室２０を備えた有底円筒状を呈しており、一対のピン２１が底面から前方に向けて左右に並んで延びている。収容室２０の左右の内側面には、それぞれ係止凹部２２が設けられている（図５，６参照）。両ピン２１には図示しない短絡金具が弾接されており、収容室２０内に挿入されたハウジング１の端子収容部１１１が短絡金具に当接すると、両ピン２１に対する短絡金具の弾接が解かれる。
【００１１】
ハウジング１は、端子が装着されるハウジング本体１１と、ハウジング本体１１を上側から覆うカバー１２とを備えている。図２に示すように、ハウジング本体１１は、下方に延びた四角ブロック状の端子収容部１１１を備えている。端子収容部１１１は、端子を収容する端子収容室１１１ａ（図４参照）を左右に並べて開口させている。ハウジング本体１１の前面の左右の両側部には、支持部１１２が設けられている。また、ハウジング本体１１の後端部の左右の側面には、係止凸部１１３が設けられている。ハウジング本体１１の上面には、一対の挿通孔１１４が開口している。両挿通孔１１４は、ハウジング本体１１の上面の左右の両側部に設けられており、ハウジング本体１１を下方に延びている。
【００１２】
図３に示すように、端子収容部１１１の左右の側面には、それぞれ収容溝１１６が設けられている。収容溝１１６は、端子収容部１１１の左右の側壁を貫通して上下方向に延びており、上端では挿通孔１１４に連通している。
【００１３】
端子収容部１１１の左右の側面には、それぞれロックアーム１１５が設けられている。ロックアーム１１５は、収容溝１１６の前後の両縁部に上下に並んで配置された合計４つのロック腕部１１５ａで、ロック体１１５ｃを支持して構成されている。ロック体１１５ｃは、収容溝１１６の外側に収容溝１１６と向き合って配置されており、ロック腕部１１５ａが撓むことで左右の内側に移動する。
【００１４】
端子収容部１１１には、ＣＰＡ１３が嵌め合わされる。図２に示すように、ＣＰＡ１３は、上板１３１の左右の両側部から、移動規制アーム１３２及び復元アーム１３３を下方に延出させている。復元アーム１３３は、上板１３１の前後方向の中央部から下方に延びており、下端部からは左右の外側に向けて係止部１３３ａを突出させている。係止部１３３ａは、先端部の下面の内側には傾斜面１３３ｃを備え、外側には傾斜面１３３ｂを備えている。
【００１５】
移動規制アーム１３２は、復元アーム１３３を挟んだ上板１３１の前端部及び後端部から下方に延びた一対の規制腕部の下端部の間に移動規制部１３２ａを架け渡して構成されている。移動規制アーム１３２の両規制腕部は、復元アーム１３３よりも左右の内側に位置する上板１３１の下面から延びている。
【００１６】
カバー１２は、前端部から左右に延びた一対の軸部１２１をハウジング本体１１の支持部１１２に支持され、後端部に設けられた左右一対の係止片１２２をハウジング本体１１の係止凸部１１３に係止されて、ハウジング本体１１に組み付けられている。カバー１２の前端部には、ＣＰＡ１３を受ける受部１２０が、カバー１２の上面よりも上面の高さを低くして形成されている。ハウジング本体１１に組み付けられたカバー１２は、その上面をハウジング本体１１の上面と面一にさせている。
【００１７】
図４に示すように、ＣＰＡ１３は、ハウジング本体１１に組み付けられたカバー１２の受部１２０に上板１３１が載置され、挿通孔１１４からハウジング本体１１内に移動規制アーム１３２及び復元アーム１３３を進入させて、上下方向にスライド自在にハウジング本体１１に支持されている。また、ＣＰＡ１３は、上板１３１の左右の側方をハウジング本体１１で、前後の側方をカバー１２でそれぞれ覆われている。また、ＣＰＡ１３は、復元アーム１３３が挿通孔１１４及び収容溝１１６に収容されて、係止部１３３ａの先端のみをハウジング本体１の外側に突出させた状態となっている。
【００１８】
ＣＰＡ１３は、復元アーム１３３の係止部１３３ａがロックアーム１１５のロック体１１５ｃに係止されることで、ハウジング１に対する上方への移動を規制され、上板１３１がカバー１２の受部１２０に当接することで、ハウジング１に対する下方への移動を規制される。ＣＰＡ１３は、係止部１３３ａがロック体１１５ｃに係止されて上方への移動を規制されることで、図３，４に示すように上板１３１の上面がハウジング本体１１及びカバー１２の上面よりも上方に突出しないようになっている。
【００１９】
復元アーム１３３は、係止部１３３ａを収容溝１１６内に位置させており、ＣＰＡ１３のスライドに合わせて収容溝１１６内を上下方向に移動する。また、移動規制アーム１３２は、復元アーム１３３の下端部の左右の内面に移動規制部１３２ａを当接又は近接させて、端子収容部１１１の左側面又は右側面に移動規制部１３２ａを当接させている。
【００２０】
次に、ハウジング１をイニシエータ２に装着する際のコネクタの組付動作を説明する。図５はハウジング１をイニシエータ２に装着する手順，図６はイニシエータ２から離脱させる手順を示す図である。
【００２１】
ハウジング１をイニシエータ２に装着する際には、まず、図５（ａ）に示すように、ＣＰＡ１３の上板１３１がカバー１２の受部１２０に載置された状態で、ハウジング１を下方に移動させて、ハウジング本体１１の端子収容部１１１を収容室２０内に挿入する。これにより、イニシエータ２のピン２１が端子収容部１１１の端子収容室１１１ａ内に進入し、ＣＰＡ１３の復元アーム１３３が備える係止部１３３ａが、収容室２０の案内面２０ａに傾斜面１３３ｂを当接させる。
【００２２】
復元アーム１３３の先端部が移動規制アーム１３２の移動規制部１３２ａで左右の内側への移動を規制されていることから、復元アーム１３３の先端部の内側への屈曲も規制され、ＣＰＡ１３の下方への移動が規制される。
【００２３】
この状態で、ハウジング１のハウジング本体１１のみを下方に移動させると、図５（ｂ）に示すように、ロックアーム１１５のロック体１１５ｃが復元アーム１３３の係止部１３３ａに当接し、ハウジング本体１１の下方への移動が規制される。また、上板１３１から受部１２０が離間して、ＣＰＡ１３のみを下方に移動させることが可能となる。
【００２４】
その後、ＣＰＡ１３が下方に押し込まれると、復元アーム１３３の内側への移動が復元アーム１３３の下端部で移動規制部１３２ａに規制されていることから、図５（ｃ）に示すように、係止部１３３ａの先端が上側を向くように復元アーム１３３が左右の内側に撓む。復元アーム１３３が左右の内側に撓むと、傾斜面１３３ｃが移動規制アーム１３２の移動規制部１３２ａと摺接し、係止部１３３ａが左右の内側に引き込まれる。
【００２５】
これにより、係止部１３３ａの傾斜面１３３ｂが収容室２０の案内面２０ａと当接することによる係止部１３３ａの移動規制が解かれ、ＣＰＡ１３が下方に移動する。上板１３１が受部１２０に当接するまでＣＰＡ１３が下降すると、ハウジング本体１１がＣＰＡ１３と一体となって下方に移動する。
【００２６】
ロックアーム１１５のロック体１１５ｃが収容室２０の案内面２０ａと当接して、ロックアーム１１５が左右の内側に屈曲すると、復元アーム１３３と案内面２０ａとの間にロック体１１５ｃが挟み込まれ、傾斜面１３３ｂと案内面２０ａとの当接が解けた後も、復元アーム１３３が左右の内側に撓んだ状態を保つ。その後、復元アーム１３３が下端部を係止凹部２２に当接させて下方への移動を規制され、続いて、ロック体１１５ｃが案内面２０ａを乗り越えて係止凹部２２に係止される。
【００２７】
ＣＰＡ１３に対する押し込みが解かれると、復元アーム１３３の撓みが解けてＣＰＡ１３が上方に移動し、上板１３１と受部１２０との間に間隙が設けられる。ロックアーム１１５のロック体１１５ｃは、係止部１３３ａの上側に位置した復元アーム１３３の左右の外面に当接して、左右の内側への移動を規制されている。また、復元アーム１３３の係止部１３３ａは、ロック体１１５ｃと共に係止凹部２２内に進入し、ロック体１１５ｃにより上方への移動を規制される。
【００２８】
ハウジング１をイニシエータ２から離脱させる際には、まず、図６（ａ）に示すように、カバー１２の受部１２０から上板１３１を離間させたＣＰＡ１３が、上板１３１が受部１２０に当接するまで押し込まれる。これにより、復元アーム１３３が係止凹部２２に下端部を当接させて左右の内側に撓み、復元アーム１３３によるロック体１１５ｃの移動規制が解かれる。また、復元アーム１３３が左右の内側に撓むことで、傾斜面１３３ｃが移動規制アーム１３２の移動規制部１３２ａと摺接し、係止部１３３ａが左右の内側に引き込まれる。
【００２９】
その後、ハウジング本体１１が上方に引き上げられると、図６（ｂ）に示すように、ロックアーム１１５のロック体１１５ｃが収容室２０の案内面２０ａに乗り上げて、復元アーム１３３と案内面２０ａとの間に挟み込まれ、ハウジング本体１１がＣＰＡ１３と共に上方に移動する。復元アーム１３３と案内面２０ａとの間にロック体１１５ｃが挟み込まれることで、復元アーム１３３の下端部が係止凹部２２から離間した後も、復元アーム１３３が左右の内側に撓んだ状態を保つ。
【００３０】
ロックアーム１１５のロック体１１５ｃが収容室２０から抜き出された後は、復元アーム１３３の係止部１３３ａが、収容室２０の案内面２０ａに傾斜面１３３ｂを摺接させる。係止部１３３ａが収容室２０から抜き出されるまでハウジング本体１１が上方に引き上げられると、復元アーム１３３の撓みが解ける。その後、ハウジング本体１１は、端子収容室１１１ａからピン２１が引き抜かれるまで、上方に引き上げられる。
【００３１】
本実施形態によれば、ロックアーム１１５をイニシエータ２側に押し付けた復元アーム１３３の屈曲が屈曲規制部１３２ａで規制されるので、復元アーム１３３の変形によりロックアーム１１５の係止が解けるのを防止して、イニシエータ２に対するハウジング１の中途嵌合が生じるのを防止できる。また、復元アーム１３３の係止部１３３ａをロック体１１５ｃが係止することで、ＣＰＡ１３の上板１３１がハウジング本体１１から突出するのを規制できる。従って、ＣＰＡ１３が上板１３１に外力を受けて係止部１３３ａが挿通孔１１４内に入り込む等して、復元アーム１３３が損傷するのを防止できる。
【００３２】
また、復元アーム１３３の屈曲が屈曲規制部１３２ａに規制されているので、復元アーム１３３が屈曲してロックアーム１１５による係止部１３３ａの係止が解けるのを防止できる。このため、ＣＰＡ１３の上方への移動を確実に規制して、ＣＰＡ１３の上板１３１がカバー１２の上面よりも上方に突出するのを防止できる。従って、ＣＰＡ１３が外力を受けて係止部１３３ａが挿通孔１１４内に入り込む等して、復元アーム１３３が損傷するのを効果的に防止できる。
【００３３】
また、本実施形態によれば、ロック腕部１１５ａの内側に復元アーム１３３が配置されていないことから、ＣＰＡ１３の上方への移動に伴い復元アーム１３３がロックアーム１１５内に入り込むのを防止できる。このため、ＣＰＡ１３が外力を受けて係止部１３３ａが内に入り込む等して、ロックアーム１１５及び復元アーム１３３が損傷するのを防止できる。
【００３４】
また、ＣＰＡ１３を押し込むのに復元アーム１３３を屈曲させるだけの荷重が必要とされることから、ＣＰＡ１３を押し込んだ勢いでロックアーム１１５のロック体１１５ｃを係止凹部２２内に確実に進入させることが可能となる。このため、係止凹部２２に対するロック体１１５ｃの係止が不十分な状態となるのが防止され、途中嵌合を発生しにくくすることができる。また、ＣＰＡ１３の移動位置に応じた電気的な検出も可能となる。
【００３５】
なお、上記実施形態では、ロックアーム１１５のロック体１１５ｃが収容室２０の案内面２０ａと当接することで、ロックアーム１１５がロック腕部１１５ａを左右の内側に撓める構成を有していた。しかしながら、ロックアーム１１５が復元アーム１３３に押圧されて左右の外側に弾性変形しており、復元アーム１３３がロックアーム１１５と反対側へ屈曲すると、弾性復帰してイニシエータ２と反対側へ屈曲するように構成してもよい。具体的には、ロックアーム１１５と端子収容部１１１との間に復元アーム１３３が挟み込まれることで、ロックアーム１１５がロック腕部１１５ａを左右の外側に撓めた状態となっており、復元アーム１３３が左右の内側に撓むのに伴いロック腕部１１５ａの撓みが解けて、ロック体１１５ｃが左右の内側に移動する構成としてもよい。
【００３６】
また、復元アーム１３３は、係止凹部２２に対するロック体１１５ｃの係止が解けるのを防止できるのであれば、係止凹部２２に係止したロック体１１５ｃをイニシエータ２側に常時押し付けている必要はない。また、上記実施形態では、移動規制アーム１３２の移動規制部１３２ａが屈曲規制部を構成した場合について説明したが、屈曲規制部の構成は任意であり、必ずしもアームに備えられている必要はない。
【００３７】
また、上記実施形態では、ロックアーム１１５が４つのロック腕部１１５ａでロック体１１５ｃを支持して構成されている場合について説明した。しかしながら、ロックアームの構成は任意であり、例えば、復元アーム１３３と同様に下方に延びた１つの脚部にロック体を備える構成としてもよい。また、上記実施形態では、収容溝１１６に復元アーム１３３の係止部１３３ａを収容する場合について説明したが、収容部の構成は任意である。
【符号の説明】
【００３８】
１            ハウジング
１１          ハウジング本体
１１１        端子収容部
１１１ａ      端子収容室
１１２        支持部
１１３        係止凸部
１１４        挿通孔
１１５        ロックアーム
１１５ａ      ロック腕部
１１５ｃ      ロック体
１１６        収容溝
１２          カバー
１２０        受部
１２１        軸部
１２２        係止片
１３          ＣＰＡ（スライダ）
１３１        上板
１３２        移動規制アーム
１３２ａ      移動規制部（屈曲規制部）
１３３        復元アーム
１３３ａ      係止部
１３３ｂ      傾斜面
１３３ｃ      傾斜面
２            イニシエータ
２０          収容室
２１          ピン
２２          係止凹部
【図１】
0005622490.tif 000002
【図２】
0005622490.tif 000003
【図３】
0005622490.tif 000004
【図４】
0005622490.tif 000005
【図５】
0005622490.tif 000006
【図６】
0005622490.tif 000007